(57)【要約】【課題】ズーム操作の操作性を向上し、迅速に所望の機能が達成されるようにする。【解決手段】ズームアップ操作およびズームダウン操作が可能なズーム操作部材を有し、光学ズームおよび電子ズームが可能なデジタルカメラにおいて、ズーム操作部材は、それぞれ２段階のズームアップ／ダウン操作が可能とされ、第１段階のズームアップ／ダウン操作で光学ズームアップ／ダウンおよび電子ズームアップ／ダウンのいずれか一方が行われ、第２段階のズームアップ／ダウン操作でいずれか他方が行われる。【選択図】図４
2006217577.tif 000002
【特許請求の範囲】
【請求項１】
ズームアップ操作およびズームダウン操作が可能なズーム操作部材を有し、光学ズームおよび電子ズームが可能なデジタルカメラにおいて、
前記ズーム操作部材は、それぞれ２段階のズームアップ／ダウン操作が可能とされ、第１段階のズームアップ／ダウン操作で光学ズームアップ／ダウンおよび電子ズームアップ／ダウンのいずれか一方が行われ、第２段階のズームアップ／ダウン操作でいずれか他方が行われることを特徴とするデジタルカメラ。
【請求項２】
ズームアップ操作およびズームダウン操作が可能なズーム操作部材と、画像表示装置とを有し、記録されている画像を前記画像表示装置に再生するとともに、前記ズームアップ／ダウン操作で再生画像の倍率を段階的にアップ／ダウンする電子ズームが可能なデジタルカメラにおいて、
前記ズーム操作部材は、それぞれ２段階のズームアップ／ダウン操作が可能とされ、第２段階のズームアップ／ダウン操作による前記倍率の変化率を、第１段階のズームアップ／ダウン操作による変化率よりも大きくしたことを特徴とするデジタルカメラ。
【請求項３】
ズームアップ操作およびズームダウン操作が可能なズーム操作部材と、画像表示装置とを有し、記録されている画像を前記画像表示装置に再生するとともに、その再生画像の駒送りおよび電子ズームが可能なデジタルカメラにおいて、
前記ズーム操作部材は、それぞれ２段階のズームアップ／ダウン操作が可能とされ、第２段階の操作で、第１段階の操作に割り付ける機能を前記駒送りと電子ズームのいずれかに切換え、前記電子ズームが割り付けられているときには、前記第１段階のズームアップ／ダウン操作で電子ズームアップ／ダウンを行い、前記駒送りが割り付けられているときには、前記第１段階のズームアップ／ダウン操作で順／逆方向の駒送りを行うことを特徴とするデジタルカメラ。
【請求項４】
前記駒送り時の各画像は、事前の電子ズームアップ／ダウンによって選択された倍率で表示されることを特徴とする請求項３に記載のデジタルカメラ。
【請求項５】
ズームアップ操作およびズームダウン操作が可能なズーム操作部材と、画像表示装置とを有し、記録されている画像を前記画像表示装置に再生するとともに、１画面に再生する画像数を変更可能なデジタルカメラにおいて、
前記ズーム操作部材は、それぞれ２段階のズームアップ／ダウン操作が可能とされ、第１段階のズームアップ／ダウン操作で１画面の画像数を段階的に変更し、第２段階のズームアップ／ダウン操作で、画像数の最多，最少を切換えることを特徴とするデジタルカメラ。
【請求項６】
前記第１段階のズームアップ操作で、前記画像数を所定数以下の範囲内で順次変更し、第１段階のズームダウン操作で、前記画像数を所定数以上の範囲内で順次変更することを特徴とする請求項５に記載のデジタルカメラ。
【請求項７】
ズームアップ操作およびズームダウン操作が可能なズーム操作部材と、画像表示装置とを有し、記録されている画像を前記画像表示装置に再生するとともに、その再生すべき画像の駒送りが可能なデジタルカメラにおいて、
前記ズーム操作部材は、それぞれ２段階のズームアップ／ダウン操作が可能とされ、第２段階のズームアップ／ダウン操作で、記録されている複数の画像から前記駒送りの候補となる画像を選択し、第１段階のズームアップ／ダウン操作で、前記候補として選択された複数の画像の中で順／逆方向に駒送りを行うことを特徴とするデジタルカメラ。
【請求項８】
ズームアップ操作およびズームダウン操作が可能なズーム操作部材と、音声を再生する音声再生装置とを有するデジタルカメラにおいて、
前記ズーム操作部材は、それぞれ２段階のズームアップ／ダウン操作が可能とされ、第１段階のズームアップ／ダウン操作で、音声の音量を徐々にアップ／ダウンし、第２段階のズームアップ／ダウン操作で、最大音量と消音とを切換えることを特徴とするデジタルスチルカメラ。
【発明の詳細な説明】
【技術分野】
【０００１】
本発明はズーム操作部材を有するデジタルカメラに関し、操作性の向上を図ったものである。
【背景技術】
【０００２】
電動ズームカメラは、ズームボタンの操作に応じてズーミングモータを駆動し、撮影レンズをズーミング駆動してその焦点距離を変更する。
【０００３】
【特許文献１】特開平６−１７５１９１号公報
【発明の開示】
【発明が解決しようとする課題】
【０００４】
従来のズームボタンは、ズームアップおよびズームダウンの２種類の操作しか行えない。
【課題を解決するための手段】
【０００５】
請求項１の発明は、ズームアップ操作およびズームダウン操作が可能なズーム操作部材を有し、光学ズームおよび電子ズームが可能なデジタルカメラに適用される。ズーム操作部材は、それぞれ２段階のズームアップ／ダウン操作が可能とされ、第１段階のズームアップ／ダウン操作で光学ズームアップ／ダウンおよび電子ズームアップ／ダウンのいずれか一方が行われ、第２段階のズームアップ／ダウン操作でいずれか他方が行われる。
請求項２の発明は、ズームアップ操作およびズームダウン操作が可能なズーム操作部材と、画像表示装置とを有し、記録されている画像を画像表示装置に再生するとともに、ズームアップ／ダウン操作で再生画像の倍率を段階的にアップ／ダウンする電子ズームが可能なデジタルカメラに適用される。ズーム操作部材は、それぞれ２段階のズームアップ／ダウン操作が可能とされ、第２段階のズームアップ／ダウン操作による倍率の変化率を、第１段階のズームアップ／ダウン操作による変化率よりも大きくする。
請求項３，４の発明は、ズームアップ操作およびズームダウン操作が可能なズーム操作部材と、画像表示装置とを有し、記録されている画像を前記画像表示装置に再生するとともに、その再生画像の駒送りおよび電子ズームが可能なデジタルカメラに適用される。ズーム操作部材は、それぞれ２段階のズームアップ／ダウン操作が可能とされ、第２段階の操作で、第１段階の操作に割り付ける機能を駒送りと電子ズームのいずれかに切換え、電子ズームが割り付けられているときには、第１段階のズームアップ／ダウン操作で電子ズームアップ／ダウンを行い、駒送りが割り付けられているときには、第１段階のズームアップ／ダウン操作で順／逆方向の駒送りを行う。
特に請求項４の発明では、駒送り時の各画像は、事前の電子ズームアップ／ダウンによって選択された倍率で表示される。
請求項５，６の発明は、ズームアップ操作およびズームダウン操作が可能なズーム操作部材と、画像表示装置とを有し、記録されている画像を前記画像表示装置に再生するとともに、１画面に再生する画像数を変更可能なデジタルカメラに適用される。ズーム操作部材は、それぞれ２段階のズームアップ／ダウン操作が可能とされ、第１段階のズームアップ／ダウン操作で１画面の画像数を段階的に変更し、第２段階のズームアップ／ダウン操作で、画像数の最多，最少を切換える。
特に請求項６の発明では、第１段階のズームアップ操作で、画像数を所定数以下の範囲内で順次変更し、第１段階のズームダウン操作で、画像数を所定数以上の範囲内で順次変更する。
請求項７の発明は、ズームアップ操作およびズームダウン操作が可能なズーム操作部材と、画像表示装置とを有し、記録されている画像を前記画像表示装置に再生するとともに、その再生すべき画像の駒送りが可能なデジタルカメラに適用される。ズーム操作部材は、それぞれ２段階のズームアップ／ダウン操作が可能とされ、第２段階のズームアップ／ダウン操作で、記録されている複数の画像から駒送りの候補となる画像を選択し、第１段階のズームアップ／ダウン操作で、候補として選択された複数の画像の中で順／逆方向に駒送りを行う。
請求項８の発明は、ズームアップ操作およびズームダウン操作が可能なズーム操作部材と、音声を再生する音声再生装置とを有するデジタルカメラに適用される。ズーム操作部材は、それぞれ２段階のズームアップ／ダウン操作が可能とされ、第１段階のズームアップ／ダウン操作で、音声の音量を徐々にアップ／ダウンし、第２段階のズームアップ／ダウン操作で、最大音量と消音とを切換える。
【発明の効果】
【０００６】
請求項１の発明によれば、ズーム操作部材の第１段階のズームアップ／ダウン操作で光学ズームアップ／ダウンおよび電子ズームアップ／ダウンのいずれか一方を行い、第２段階のズームアップ／ダウン操作でいずれか他方を行うようにしたので、光学ズームと電子ズームとを自由に選択できるとともに、その切換えも瞬時に行える。
請求項２の発明によれば、ズーム操作部材で電子ズームを行うにあたり、第２段階のズームアップ／ダウン操作による倍率の変化率を、第１段階のズームアップ／ダウン操作による変化率よりも大きくしたので、状況に応じて高速ズームと低速ズームとを容易に切換えられる。
請求項３，４の発明によれば、ズーム操作部材の第２段階の操作で、第１段階の操作に割り付ける機能を駒送りと電子ズームのいずれかに切換え、電子ズームが割り付けられているときには、第１段階のズームアップ／ダウン操作で電子ズームアップ／ダウンを行い、駒送りが割り付けられているときには、第１段階のズームアップ／ダウン操作で順／逆方向の駒送りを行うようにしたので、倍率の変更と駒送りの切換えが極めて容易に行える。
請求項５，６の発明によれば、第１段階のズームアップ／ダウン操作で１画面の画像数を段階的に変更し、第２段階のズームアップ／ダウン操作で、画像数の最多，最少を切換えるようにしたので、好みの画像数を短時間で選択できる。
請求項７の発明によれば、第２段階のズームアップ／ダウン操作で、記録されている複数の画像から駒送りの候補となる画像を選択し、第１段階のズームアップ／ダウン操作で、候補として選択された複数の画像の中で順／逆方向に駒送りを行うようにしたので、単に駒送りのみで画像を選択する場合と比べて目的の画像を短時間で選択できる。
請求項８の発明によれば、第１段階のズームアップ／ダウン操作で、音声の音量を徐々にアップ／ダウンし、第２段階のズームアップ／ダウン操作で、最大音量と消音とを切換えるようにしたので、好みの音量を素早く設定できるとともに、急な消音にも迅速に対応できる。
【発明を実施するための最良の形態】
【０００７】
図１は本発明の実施形態におけるデジタルスチルカメラの背面図である。カメラ背面には液晶モニタ１１と、ファインダ接眼窓１２と、シーソー式のズームボタン２０とが設けられている。ズームボタン２０の図示右端側を押圧操作するとズームアップが指示され、左端側を押圧操作するとズームダウンが指示される。本実施形態のズームボタン２０は、以下に示すように２段式の操作が可能な点に特徴がある。
【０００８】
図２はズームボタン２０の断面を示している。ズームボタン２０の右端の押圧を開始すると、押圧部２１によってばね性の切片２２が弾性変形し、第１段階まで押し込むと、クリック感とともに切片２２がパターン２３に接触する。以降、この操作を「ズームアップ浅押し」と呼び、これによりスイッチＳＷ３がオンとなる。更にズームボタン２０を第２段階まで押し込むと、切片２４が弾性変形し、クリック感とともにパターン２５に接触する。この操作を「ズームアップ深押し」と呼び、これによりスイッチＳＷ４がオンとなる。ズームダウン操作も同様に２段階の操作が可能であり、「ズームダウン浅押し」によりスイッチＳＷ５がオンし、「ズームダウン深押し」によりスイッチＳＷ６がオンする。
【０００９】
いずれの操作でも押圧力を解除すると、ズームボタン２０は非操作状態に戻り、各スイッチはオフする。また、深押しは浅押しに比べて大きな操作力を必要とし、このため浅押しで止めるつもりが誤って深押ししてしまうといった不都合はない。さらに深押しから浅押しに戻してその状態を保持することも容易である。
【００１０】
図３は上記デジタルスチルカメラの制御ブロック図である。撮影レンズ１を透過した被写体光束は、ＣＣＤ等の撮像素子２の受光面に結像される。撮像素子２は撮像を行い、結像された被写体像の光強度に応じた画像信号（電気信号）を出力する。画像信号は、Ａ／Ｄ変換回路３によりデジタル信号に変換された後、信号処理回路４で種々の画像処理が施され、これにより画像データが生成される。画像データは、バッファメモリ５にいったん記憶された後、記録回路６を介してメモリカードＭＣに記録される。記録の際、画像データは必要に応じて画像圧縮回路７で所定の圧縮形式に圧縮される。
【００１１】
本実施形態のカメラは、静止画の撮影に加えて動画撮影も可能とされる。動画撮影の際には、録音部３１にて音声も同時に記録可能であり、録音された音声は音声再生部３２で再生することができる。
【００１２】
液晶モニタ１１は、液晶画面、液晶駆動部、バックライト、バックライト制御部などから成り、画面に画像データに基づく画像（静止画，動画）を表示したり、他の情報を表示する。通常の撮影モードでは、撮像が繰り返し行われ、その都度得られる画像が液晶モニタ１１に逐次更新表示される（以下、スルー画表示と呼ぶ）。これにより撮影者は、液晶モニタ１１をファインダ代わりに使用できる。また再生モードが設定されると、既にメモリカードＭＣに記録されている画像を読み出して液晶モニタ１１に表示することができる（以下、再生画表示と呼ぶ）。
【００１３】
上記各回路はＣＰＵ８によって制御される。ＣＰＵ８にはまた、ズームモータ３３を駆動するズームドライバ３４と、制御に必要な情報を格納するＲＯＭやＲＡＭ等のメモリ１３とが接続されるとともに、レリーズボタンの半押し操作（撮影準備開始操作）でオンする半押しスイッチＳＷ１と、レリーズボタンの全押し操作（レリーズ操作）でオンするレリーズスイッチＳＷ２と、上述したズームボタン２０に連動する４つのスイッチＳＷ３〜ＳＷ６とが接続されている。
【００１４】
カメラにおけるズーミングは、光学ズームと電子ズームの２種類がある。光学ズームは、ズームモータ３３により撮影レンズを光軸方向に駆動して焦点距離を変更する動作を示し、焦点距離の増加がズームアップ、減少がズームダウンである。一方、電子ズームはデジタルズームとも呼ばれ、撮影後の画像データの一部を切り取って拡大し、または拡大された画像を元に戻す動作を示す。例えば、画像を１００％→１２０％→１４０％・・・のように２０％きざみで拡大するのが電子ズームアップであり、逆に・・・１４０％→１２０％→１００％のように縮小するのが電子ズームダウンである。かかる電子ズームは、上述したスルー画および再生画のいずれに対しても適用でき、スルー画に対する電子ズーム倍率は、レリーズによって撮影される画像に反映される。なお、電子ズームのきざみ幅は２０％に限定されない。
【００１５】
以下、ズームボタン２０の使い方について幾つかの実施形態を説明する。上述したカメラ構成は各実施形態で共通とする。
【００１６】
−第１の実施形態−
本実施形態では、ズームボタン２０の浅押し操作が継続している間は電子ズームが行われ、深押し操作がなされると光学ズームが行われる。
【００１７】
図４は本実施形態におけるズーム処理のフローチャートを示し、このサブルーチンはメインプログラムから繰り返しコールされるものである。ステップＳ１では、スイッチＳＷ３，ＳＷ５の状態からズームボタン２０の操作の有無を判定し、操作されていなければそのままリターンする。操作されている場合には、ステップＳ２でズームボタン２０の浅押しが所定の待ち時間（例えば、１秒程度）以上続いたか否かを判定する。ステップＳ２が肯定されるとステップＳ３で電子ズームを行う。詳しくは、ズームアップ浅押し（ＳＷ３オン，ＳＷ４オフ）であれば電子ズームアップを、ズームダウン浅押し（ＳＷ５オン，ＳＷ６オフ）であれば電子ズームダウンを行う。
【００１８】
ステップＳ２が否定されるとステップＳ４に進み、ズームボタン２０が深押し操作されているか否かを判定し、肯定されると光学ズームを行う。詳しくは、ズームアップ深押し（ＳＷ４オン）であれば光学ズームアップを、ズームダウン深押し（ＳＷ６オン）であれば光学ズームダウンを行う。ステップＳ４が否定された場合、つまりズームボタン２０の操作が解除されたか、あるいは浅押し継続時間が上記待ち時間に達していない場合には、何も行わずにリターンする。
【００１９】
電子ズームに待ち時間を設けたのは、撮影者が光学ズームを行おうとしてズームボタン２０を一気に深押しした際、途中の浅押し状態で電子ズームが開始されるのを防止するためである。すなわち、浅押し状態が所定時間維持されて初めて電子ズームの意志有りと判断される。
なお、ズーム動作にはアップ／ダウン方向とも限界があり、当然ながらその限界を超える動作は操作の有無に拘わらずなされない。これは以降の各実施形態でも同様である。
【００２０】
本実施形態によれば、ズーミングの際、撮影者の意志に応じて光学ズームと電子ズームのうち好みの方を選択できる。光学ズームは、電子ズームと異なり画像の劣化をもたらすことはないが、モータおよびギア機構を用いているため、それらから発する音が問題となる場合がある。かかるケースでは無音の電子ズームを選択すればよい。特に動画撮影では音声も同時記録するため、ズーム音が録音されないように電子ズームを選択し、録音を伴わない静止画撮影のときには光学ズームを選択するようにすればよい。その選択も同一ボタンの浅押しか深押しかで行えるので、操作を憶えやすく、また操作そのものが容易であり、誤操作のおそれもない。光学ズーム中に電子ズームに切換えたり、その逆の切換えも容易に行える。
【００２１】
因みに従来カメラでは、光学ズームアップが限界に達して初めて電子ズームアップがなされる構成であったため、光学ズームと電子ズームとを自由に選択することはできなかった。
【００２２】
ここで、上述したように動画撮影時に光学ズームが問題になることに鑑み、図４のズーム制御を動画撮影時に限定し、静止画撮影モードでは、ズームボタン２０に他の機能が割り振られるようにしてもよい。一例として、静止画撮影モード時には、ズームボタン２０の浅押しで通常速度の光学ズームアップ／ダウンが行われ、深押しでそれより速い高速光学ズームアップ／ダウンが行われるようにしてもよい。これは図５のフローにより実現可能である。これによれば、焦点距離を大きく変更するときに、当初は高速光学ズームを用い、微調整を低速光学ズームで行うことで、素早く所望の焦点距離を設定できる。そして、撮影モードに応じて図４の制御と図５の制御とが自動的に切換わるようにすることで、操作性の向上が図れる。
【００２３】
−第２の実施形態−
以下に示す第２〜第５の実施形態は、いずれも再生モード設定時のズーム操作に関するものである。再生モード以外では、他の機能（例えば、低速／高速光学ズーム）がズームボタン２０に割り付けられるものとする。
【００２４】
第２の実施形態では、再生モード設定時にズーム操作がなされると、その操作の間は再生画像の電子ズームアップ／ダウンを行うが、浅押しのときには低速で、深押しのときには高速で行う。これは図６のフローチャートによって実現される。
【００２５】
電子ズーム速度の変更は、倍率変更のきざみ幅（倍率変化率）を変えることで実現できる。例えば、低速電子ズームアップでは、１００％→１２０％→１４０％→１６０％・・・のように通常の変化率で変倍させ、高速電子ズームアップでは１００％→１５０％→２００％・・・のように通常よりも大きい変化率で変倍させる。ダウン方向も同様である。
【００２６】
なお、上記の制御に変えて、浅押しで電子ズームを行い、深押しで電子ズームアップの際の拡大領域を変更できるようにしてもよい。すなわち、電子ズームでは、画面の中央部分が切り取られて拡大されるのが一般的であるが、拡大する領域を任意に選択可能とし、その選択機能をズームボタン２０の深押しに割り付けるようにしてもよい。この場合、拡大すべき領域がモニタ画面上に明示され、深押しがなされると、アップ／ダウンに応じた方向に領域が移動するようにすればよい。
【００２７】
−第３の実施形態−
本実施形態では、再生モード設定時にズームボタン２０が浅押しされると、再生画像の電子ズームおよび画像駒送りのいずれかが可能とされ、そのいずれにするかをズームボタン２０の深押しで切換えることができる。画像駒送りとは、液晶モニタ１１に表示される再生画像を１駒ずつ切換える処理を指し、記録されている複数の画像を例えば新しい方から古い方に、あるいはその逆に切換える。切換方向は、ズームアップ浅押しとズームダウン浅押しとで逆になる。
【００２８】
図７のフローにて説明する。ステップＳ１１でズームボタン２０の操作が確認されると、ステップＳ１２で浅押しか否かを判定し、浅押しであれば、ステップＳ１３で現在浅押しに割り付けられている機能を判別する。割り付け機能が電子ズームであれば、ステップＳ１４で電子ズームアップまたはダウンを行う。一方、駒送りが割り付けられていた場合には、ステップＳ１５で画像駒送りを行うが、その際の画像表示倍率は、ステップＳ１８で記憶されたズーム倍率となる。
【００２９】
ステップＳ１２が否定されるとステップＳ１６に進み、ズームボタン２０の操作が浅押しから深押しに切換わったか否かを判定する。その切換直後であればステップＳ１７に進み、浅押しに対する機能割り付け状況を判別する。電子ズームであれば、ステップＳ１８で現在のズーム倍率を記憶し、ステップＳ１９で割り付け機能を駒送りに変更する。一方、機能割り付けが駒送りであれば、ステップＳ２０で電子ズームに変更する。
【００３０】
以上によれば、撮影者が浅押しによる電子ズームで所望の表示倍率を選択し、その状態で一度深押し、再度浅押しを行うと、選択した所望の倍率で表示画像の駒送りがなされる。したがって、倍率の変更から駒送りに至る動作が極めて容易に行え、操作性の向上が図れる。
【００３１】
なお、画像再生時の表示倍率は、再生モードを設定したときに初期値（例えば、１００％）に設定されるようにしてもよいし、上記記憶された倍率が次に再生モードを設定したときに反映されるようにしてもよい。
【００３２】
−第４の実施形態−
本実施形態では、再生モード設定時にズームボタン２０により画像の表示形態を変更できる。表示形態としては、１画面に１画像を表示する通常の１画像表示と、１画面に複数の画像を縮小表示するサムネイル表示とがあり、更にサムネイル表示は、１画面に４画像（２行２列）を表示する４サムネイル表示と、１画面に９画像（３行３列）を表示する９サムネイル表示とがある。当然ながら１画像の大きさは、１画像表示＞４サムネイル表示＞９サムネイル表示となる。
【００３３】
図８〜図１０のフローにて説明する。図８から分かるように、１画像表示のときには、ズームアップ／ダウンに拘わらず、浅押しで４サムネイル表示に移行し、深押しで９サムネイル表示に移行する。また図９から分かるように、４画像表示のときには、浅押し／深押しに拘わらず、ズームアップ操作で１画面表示に移行し、ズームダウン操作で９サムネイル表示に移行する。さらに図１０から分かるように、９サムネイル表示のときには、ズームアップ／ダウンに拘わらず、浅押しで４サムネイル表示に移行し、深押しで１サムネイル表示に移行する。
【００３４】
これによれば、１画像表示と４サムネイル表示との切換えはズームアップ浅押しで、４サムネイル表示と９サムネイル表示との切換えはズームダウン浅押しでそれぞれ行うことができる。また、１画像表示と９サムネイル表示との切換え、つまり途中の表示形態（画像数）を経由しない画像数の最多、最少の切換えは、ズームアップ／ダウンに拘わらず深押しで行うことができる。これによれば、所望の表示形態を素早く選択することが可能となる。
【００３５】
選択可能な表示形態は３種類に限定されず、表示画像数の異なるより多くの表示形態が選択可能であってもよい。この場合も浅押しで表示形態（画像数）を順次変更し、深押しで画像数の最多，最少を切換えるようにすればよい。特に、上述のように画像数が所定数以下の範囲内、つまり１画像の大きさが比較的大きい範囲内においてはズームアップ浅押しで画像数を所定数以下の範囲内で順次変更し、画像数が所定数以上の範囲内、つまり１画像の大きさが比較的小さい範囲内においては、ズームダウン浅押しで画像数を所定数以上の範囲内で順次変更することで、操作性の向上が図れる。
【００３６】
−第５の実施形態−
本実施形態では、再生モード設定時にズームボタン２０の浅押しにより駒送りを行い、深押しされるとページ送りを行う。ページ送りとは、画像ファイルを格納するフォルダが複数あった場合にそのフォルダを変更する動作を指す。例えばメモリカードＭＣ内に画像記録フォルダが３つあり、その各々に幾つかの画像ファイルが格納されているとする。第１のフォルダが選択されているときには、ズームアップ／ダウン浅押しにより、第１のフォルダ内の画像の駒送りが可能である。この状態でズームアップ深押しがなされると、選択フォルダが第２のフォルダ→第３のフォルダのように順に変更される。またズームダウン深押しにより、選択フォルダが第３のフォルダ→第２のフォルダ→第１のフォルダのように変更される。所望のフォルダが選択された状態で浅押しを行うと、そのフォルダ内の画像の駒送りが行われる。これは図１１のフローにより実現可能である。
【００３７】
なお、選択されたフォルダ内の画像をモニタ画面にサムネイル表示し、その中から駒送りによって画像を選択し、選択された画像を画面全体に表示できるようにしてもよいし、サムネイル表示は行わず、駒送りにより選択フォルダ内において画像（画面全体表示）を１ずつ入れ替えるようにしてもよい。
【００３８】
このようにズームボタン２０の深押しでグループ（フォルダ）を選択し、浅押しでそのグループ内の画像を１ずつ駒送りできるようにすることで、目的の画像を素早く表示させることが可能となる。グループの選択は、駒送りの候補となる画像の選択を意味する。
【００３９】
グループはフォルダに限定されず、例えば１フォルダ内に複数の画像が格納されている場合、それら複数の画像を幾つかにグループ分けし、深押しによりグループを選択できるようにしてもよい。グループ分け方法は、予め決められた画像数ごとに分けてもよいし、数によらず撮影日ごと（同一撮影日の画像は同一グループとなる）に分けてもよい。静止画と動画が混在している場合には、静止画グループと動画グループに分けてもよい。連写を行った場合には、その連写によって得られた画像を１グループとし、１駒撮りであっても、時間的にある程度連続している画像は１グループとするような分け方でもよい。その他、記録ファイル形式ごと、画質モードごとにグループ分けしてもよい。
【００４０】
さらに本実施形態の方式は、サムネイル表示においても適用可能である。例えば９サムネイル表示からいずれかの画像を選択し、選択画像を１画面表示させるような場合、浅押しによって選択候補画像を１個ずつシフトし（従来方法）、深押しすると、選択肢である９個のサムネイル画像がそっくり入れ替わるようにすれば便利である。
【００４１】
また、液晶モニタに複数ページに渡るメニュー表示が可能なカメラに適用すれば、深押しでページ送りを行い、浅押しでそのページ内の選択項目を順次シフトするようにできる。あるいは、浅押しで項目選択し、深押しで「決定」するようにしてもよい。
【００４２】
−第６の実施形態−
本実施形態は、音声再生時のズーム操作に関するものである。音声の再生は例えば動画再生に同期して行われるが、このときの音量調節をズームボタン２０に割り当てる。ズームアップ／ダウン浅押しにより音量を徐々にアップ／ダウンさせ、ズームアップ深押しにより最大音量とし、ズームダウン深押しで消音（ミュート）とする。これは、図１２のフローにより実現可能である。これによれば、好みの音量を素早く設定できるとともに、何らかの理由で急に消音しなければならないときも迅速に対応できる。
【００４３】
なお、以上の実施形態では、単一のシーソー式のズームボタンでズーム／ダウン操作を行う例を示したが、ズームアップボタンとズームダウンボタンとを別々に設けてもよい。この場合もそれぞれのボタンが２段操作可能に構成される。またズーム操作部材はボタンに限定されず、スライド式操作部材や回転式操作部材でもよい。この場合も第１段階，第２段階の操作として、第１，第２ストロークのスライド操作や、第１，第２回転角の回転操作が可能である。
【図面の簡単な説明】
【００４４】
【図１】本発明の実施形態におけるカメラの背面図。
【図２】ズームボタンの構造を示す図１のII−II線断面図。
【図３】カメラの制御ブロック図。
【図４】光学／電子ズームの制御手順を示すフローチャート。
【図５】高速／低速光学ズームの制御手順を示すフローチャート。
【図６】高速／低速電子ズームの制御手順を示すフローチャート。
【図７】画像再生時の駒送りおよび電子ズームの制御手順を示すフローチャート。
【図８】画像再生時の１画像表示とサムネイル表示の切換制御手順を示すフローチャート。
【図９】図８に続くフローチャート。
【図１０】図９に続くフローチャート。
【図１１】画像再生時の駒送りおよびページ送りの制御手順を示すフローチャート。
【図１２】音声再生時の音量調節制御の手順を示すフローチャート。
【符号の説明】
【００４５】
１  撮影レンズ
２  撮像素子
４  信号処理回路
１１  液晶モニタ
２０  ズームボタン
３１  録音部
３２  音声再生部
３３  ズームモータ
ＳＷ１  半押しスイッチ
ＳＷ２  レリーズスイッチ
ＳＷ３〜ＳＷ６  ズームボタンに連動するスイッチ
【図１】
2006217577.tif 000003
【図２】
2006217577.tif 000004
【図３】
2006217577.tif 000005
【図４】
2006217577.tif 000006
【図５】
2006217577.tif 000007
【図６】
2006217577.tif 000008
【図７】
2006217577.tif 000009
【図８】
2006217577.tif 000010
【図９】
2006217577.tif 000011
【図１０】
2006217577.tif 000012
【図１１】
2006217577.tif 000013
【図１２】
2006217577.tif 000014